(57)【要約】【課題】ＣＲＴに使用する偏向ヨークの汎用性を拡大すると共に偏向回路設計の負担を軽減する。【解決手段】偏向ヨーク２の主偏向コイルＬ１、Ｌ２は並列に接続され、水平偏向電圧が印加される。偏向感度調整用コイルＬ１’、Ｌ２’が偏向コイルＬ１、Ｌ２に、可変抵抗器ＶＲを介して並列に接続されている。可変抵抗器ＶＲの抵抗値を可変することにより、主偏向コイルと偏向感度調整用コイルによるトータルの磁束を変えることができる。従って、可変抵抗器ＶＲにより偏向感度を調整することができる。【選択図】    図６
2004207033.tif 000002
【特許請求の範囲】
【請求項１】
陰極線管の電子ビームを水平又は垂直方向に偏向するための偏向磁界を生成する偏向コイル有し、前記陰極線管のネック部外周に取付けられる偏向ヨークにおいて、
水平又は垂直偏向電圧が印加される主偏向用のコイルと、
前記主偏向用のコイルと並列に接続され、かつ前記主偏向用のコイルによって生じる磁界に対して加算的又は減算的に補正磁界を生じさせる偏向感度調整用のコイルと、
前記偏向感度調整用のコイルに流れる電流量を調整し、前記補正磁界量を調整する可変抵抗と、から成ることを特徴とする偏向ヨーク。
【請求項２】
前記偏向感度調整用のコイルは、前記主偏向用のコイルと並列に接続され、かつ前記主偏向用のコイルと逆方向の磁界を生じさせるように巻かれていることを特徴とする請求項１記載の偏向ヨーク。
【請求項３】
前記偏向感度調整用のコイルは、前記主偏向用のコイルと並列に接続され、かつ前記主偏向用のコイルと同一方向の磁界を生じさせるように巻かれていることを特徴とする請求項１記載の偏向ヨーク。
【請求項４】
前記主偏向用のコイルは水平偏向コイルであり、前記偏向感度調整用のコイルは、前記水平偏向コイルによる水平偏向磁界を補正するコイルであることを特徴とする請求項１の偏向ヨーク。
【請求項５】
陰極線管の電子ビームを水平又は垂直方向に偏向するための偏向磁界を生成する偏向コイル有し、前記陰極線管のネック部外周に取付けられる偏向ヨークにおいて、
水平又は垂直偏向電圧が印加され、互いに並列に接続された第１、第２の主偏向用のコイルと、
前記第１、第２の主偏向用のコイルにそれぞれ並列に接続され、かつ前記第１、第２の主偏向用のコイルによって生じる磁界に対して加算的又は減算的に補正磁界を生じさせる第１、第２の偏向感度調整用のコイルと、
前記第１、第２の偏向感度調整用のコイル流れる電流量を調整し、前記補正磁界量を調整する可変抵抗と、から成ることを特徴とする偏向ヨーク。
【請求項６】
前記第１，第２の偏向感度調整用のコイルは、前記第１，第２の主偏向用のコイルにそれぞれ並列に接続され、かつ前記第１，第２の主偏向用のコイルと逆方向の磁界を生じさせるように巻かれていることを特徴とする請求項５記載の偏向ヨーク。
【請求項７】
前記第１，第２の偏向感度調整用のコイルは、前記第１，第２の主偏向用のコイルにそれぞれ並列に接続され、かつ前記第１，第２の主偏向用のコイルと同一方向の磁界を生じさせるように巻かれていることを特徴とする請求項５記載の偏向ヨーク。
【請求項８】
前記第１，第２の主偏向用のコイルは水平偏向コイルであり、前記第１，第２の偏向感度調整用のコイルは、前記水平偏向コイルによる水平偏向磁界を調整するコイルであることを特徴とする請求項５の偏向ヨーク。
【発明の詳細な説明】
【０００１】
【発明の属する技術分野】
この発明は、カラーテレビジョン受像機等の陰極線管（以下ＣＲＴと記載する）に使用する偏向ヨークに関する。
【０００２】
【従来の技術】
カラーＴＶのＣＲＴにおける電子ビームは、ＣＲＴのネック部に装着されて使用されている偏向ヨークに発生する磁界で偏向されている。電子ビームの偏向の大きさは、ＣＲＴパネルに再現される画面の大きさに対応する。電子ビームの偏向に必要な振幅を得る為に、偏向ヨークに供給される入力電力が回路設計にて設定される。
【０００３】
【発明が解決しようとする課題】
近年、カラーＴＶ設計上、コスト及び調達リスク回避の為に、メーカーが相違する２〜３種類の偏向ヨークに対応できるように偏向回路を設計することが求められている。しかし、メーカーが相違する偏向ヨークに同一の電力を入力しても、電子ビームの画面振幅が異なる、いわゆる偏向感度の違いが度々偏向回路設計の障害となる。
【０００４】
この偏向感度は偏向ヨーク固有の特性で、感度の修正はヨーク自体の基本設計からの見直しを伴うため困難であった。又、垂直振幅調整機能を有する垂直偏向回路に対し、水平偏向回路は偏向ヨークの感度特性に左右されるという不都合があった。
【０００５】
一方、特開平８−１６２０４５号公報には、副偏向コイル、補助コイル、及び永久磁石を用いて、Ｒ、Ｇ、Ｂ電子ビームのコンバージェンスエラーを低減する方法が記載されている。しかし、この公報には、偏向ヨークの感度を調整ことについては何ら記載されていない。
【０００６】
本発明は、偏向ヨークの感度調整を可能とし、偏向ヨークの汎用性を拡大可能な偏向ヨークを提供ことを目的とする。
【０００７】
【特許文献１】
特開平８−１６２０４５（第３頁、図１）
【０００８】
【課題を解決するための手段】
請求項１記載の本発明は、陰極線管の電子ビームを水平又は垂直方向に偏向するための偏向磁界を生成する偏向コイル有し、前記陰極線管のネック部外周に取付けられる偏向ヨークにおいて、
水平又は垂直偏向電圧が印加される主偏向用のコイルと；前記主偏向用のコイルと並列に接続され、かつ前記主偏向用のコイルによって生じる磁界に対して加算的又は減算的に補正磁界を生じさせる偏向感度調整用のコイルと；前記偏向感度調整用のコイルに流れる電流量を調整し、前記補正磁界量を調整する可変抵抗と；から成ることを特徴とする偏向ヨークである。
【０００９】
また、請求項５記載の本発明は、陰極線管の電子ビームを水平又は垂直方向に偏向するための偏向磁界を生成する偏向コイル有し、前記陰極線管のネック部外周に取付けられる偏向ヨークにおいて、
水平又は垂直偏向電圧が印加され、互いに並列に接続された第１、第２の主偏向用のコイルと；前記第１、第２の主偏向用のコイルにそれぞれ並列に接続され、かつ前記第１、第２の主偏向用のコイルによって生じる磁界に対して加算的又は減算的に補正磁界を生じさせる第１、第２の偏向感度調整用のコイルと；前記第１、第２の偏向感度調整用のコイル流れる電流量を調整し、前記補正磁界量を調整する可変抵抗と、から成ることを特徴とする偏向ヨークである。
【００１０】
本発明によれば、前記可変抵抗器の抵抗値を可変することにより、前記主偏向用のコイルによって生じる磁界を前記偏向感度調整用のコイルによる磁界によって補正する事ができ、偏向感度を偏向感度を調整することができる。
【００１１】
【発明の実施の形態】
以下、図面を参照しながら本実施例を説明する。
【００１２】
ＣＲＴを使用したカラーテレビの電子ビーム偏向は、ＣＲＴに装着された偏向ヨークに偏向電流を流し、電流に依り発生するヨーク内部の磁界作用で行われている。図１はＣＲＴ周辺の構成を示す図である。ＣＲＴ４はシャドウマスク型ＣＲＴであって、そのネック部４ａの外周部に、偏向ヨーク２、速度変調コイル７を取付け、ＣＲＴドライブ基板５をＣＲＴ４のソケットに接続し、ＣＲＴドライブ基板５を介して映像信号がＣＲＴ４に供給される。
【００１３】
偏向ヨーク２は電子銃８から発生される電子ビームを水平及び垂直方向に偏向するもので、ボビン２ａに偏向コイルが取付けられ、コネクター２ｂを介して偏向回路（図示せず）から偏向電流が供給される。
【００１４】
速度変調コイル７はボビン７ａにコイル部が取り付けら、アーム７ｂに速度変調回路基板６が固定用ネジにより固定され、速度変調コイル７はＣＲＴ４のネック部４ａに固定される。速度変調回路基板６に搭載される速度変調回路により、電子ビームの水平走査速度が映像の輝度変化部分で変調され、その結果、映像の輪郭が明瞭となる。
【００１５】
図２はＣＲＴ周辺の回路構成を示すブロック図である。映像処理回路１１はチューナ等から供給される映像信号の復調等の処理を行う。映像出力回路１２は映像処理回路１１により復調された映像信号を増幅し、ＣＲＴ４に出力する。
【００１６】
同期分離回路１３は映像処理回路１１から供給される信号から、垂直同期信号Ｖ及び水平同期信号Ｈを抽出する。抽出された垂直同期信号Ｖは、垂直ドライブ回路１４に供給され、後段の垂直出力回路１５により、垂直同期信号Ｖに同期した鋸波状の垂直偏向信号Ｙｖが生成され偏向ヨーク２の垂直偏向コイルに出力される。
【００１７】
一方、水平同期信号Ｈは、水平ドライブ回路１６に供給され、水平出力回路１７により、水平同期信号Ｈに同期した鋸波状の水平偏向信号Ｙｈが生成され、偏向ヨーク２の水平偏向コイルに出力される。また水平出力回路１７で発生した水平パルスが整流されることにより、ＣＲＴ４のアノードに高圧Ｙａが供給される。
【００１８】
図３は水平出力回路１７の回路構成例を示す図である。水平出力回路１７は水平出力トランジスタ２１のコレクタ・エミッタ間に並列に、ダンパーダイオード２２、共振コンデンサが接続され、さらに水平偏向コイルＬ１，Ｌ１’とＳ字補正用のコンデンサ２４からなる直列回路が接続されている。また、水平出力トランジスタ２１のコレクタには、フライバックトランス２５の一次巻線を介して＋Ｂ電圧が供給され、フライバックトランス２５の二次巻線には整流ダイオード２６が接続され、その整流出力（高圧Ｙａ）がＣＲＴ４のアノードに供給される。
【００１９】
図３において、水平ドライブ回路１６から出力される水平ドライブパルス信号は、トランジスタ２１により増幅され、そのコレクタには水平偏向電圧Ｙｈが発生し、ダンパーダイオード２２、共振コンデンサ２３、水平偏向コイルＬ１、Ｌ１’により構成される共振回路によって、水平偏向コイルＬ１，Ｌ１’には鋸歯状の偏向電流が流れる。また水平偏向電圧Ｙｈはフライバックトランス２５により昇圧され、ダイオード２６で整流され、ＣＲＴ４のアノードに高圧Ｙａを供給する。
【００２０】
図４は偏向ヨークの偏向感度を説明するための図である。ＣＲＴ画面上で必要な振幅をＨとすると、振幅Ｈは以下のように表現される。
【００２１】
Ｈ＝（Ｋ・Ｂ／√Ｖａ）×Ｌａ（Ｌｂ＋ｌ／２）
Ｈ：偏向距離（画面上の振幅）
Ｌａ：偏向ヨーク長
Ｌｂ：偏向ヨークからＣＲＴパネルまでの距離
Ｖａ：ＣＲＴのアノードに印加される高圧
Ｂ：偏向ヨーク内の磁束密度
Ｋ：定数
ここで偏向感度とは、偏向ヨークの偏向コイルに供給した単位電力に対する振幅Ｈの大きさを示す。同一の電力を互いに異なる偏向ヨークに供給した場合、振幅Ｈが大きい偏向ヨークは偏向感度が高い偏向ヨークである。
【００２２】
一般に偏向感度は、偏向ヨーク毎に異なる値を有する。また、同一インピーダンスを有する偏向コイルを具備する偏向ヨークであっても、偏向感度は異なっていることが多い。本発明では、偏向ヨークに偏向感度調整機能を持たせ、偏向感度を調整することにより、互いに異なる偏向ヨークの偏向感度を一致させる。この結果、従来のように偏向ヨークの偏向感度の違いに応じて偏向回路を設計する必要がなくなる。
【００２３】
偏向感度に調整機能を持たせる場合、距離Ｌａ及びＬｂは構造的に決定される為に変化させる事は不可能であり、またＣＲＴに印加するＶａを変更することは画質に直接影響する為実用的でない。従って本実施形態では、偏向コイルに生じる磁界の磁束密度Ｂを制御することにり、偏向感度を調整するようにしたものである。
【００２４】
尚、本実施形態では偏向回路の設計上、特に偏向感度特性が重要視される水平偏向コイルの感度調整について説明するが、垂直偏向用コイルについても同様に実施可能である。
【００２５】
図５は本実施形態に係る水平偏向コイルの構成、及び水平偏向コイルに流れる電流（以下、偏向電流と記載する）の半周期の電流方向を示す。Ｌ１は主偏向コイル、Ｌ１’は本発明による感度補正用のコイル、ＶＲは感度調整用の可変抵抗器を表す。コイルＬ１とＬ１’は並列に接続され、各コイルＬ１，Ｌ１’の巻線方向を逆に巻くことにより、コイルＬ１によって生じる磁界に対して、コイルＬ１’によって減算的な補正磁界を生成することができる。即ち、コイルＬ１，Ｌ１’に流れる電流方向は夫々同じ方向となるが、コイルの極性の違いにより、各コイルＬ１，Ｌ１’によって発生する磁界は逆方向となるように設定している。
【００２６】
偏向ヨーク内部で発生する磁束は、コイルＬ１、Ｌ１’に発生する磁束の強さを夫々Φ１、Φ２とすると、トータルの磁束Φ３は以下のように表すことができる。
【００２７】
Φ３＝Φ１＋（−Φ２）
＝Φ１−Φ２
従って、可変抵抗器ＶＲを調整して磁束Φ２を制御することで磁束Φ３を制御し、その結果、偏向感度を調整することができる。この場合、可変抵抗器ＶＲの抵抗値を小さくするほど、トータルの磁束Φ３も小さくなる。
【００２８】
図６は他の実施形態に係る偏向コイルの構成を示す。この例では並列に接続された主偏向コイルＬ１、Ｌ２と、これら主偏向コイルＬ１、Ｌ２に並列に接続された偏向感度調整用コイルＬ１’とＬ２’を有している。即ち、偏向感度調整用コイルＬ１’の一端は偏向コイルＬ１の一端に接続され、他端は可変抵抗器ＶＲの一端に接続される。また偏向感度調整用コイルＬ２’の一端は偏向コイルＬ２の一端に接続され、他端は可変抵抗器ＶＲの一端に接続され、可変抵抗器ＶＲの他端は偏向コイルＬ１、Ｌ２の他端に接続される。
【００２９】
水平偏向コイルＬ１、Ｌ２及び偏向感度調整用コイルＬ１’、Ｌ２’は、図１に示すように、偏向ヨーク２のボビン２ａの内側に設けられる。従ってコイルＬ１、Ｌ１’とコイルＬ２、Ｌ２’はＣＲＴ４のネック部４ａを介して対抗して配置される。尚、垂直偏向コイルはボビン２ａ外側周辺に設けられるが、図１では簡単のため省略している。
【００３０】
図６の偏向ヨーク内部で発生する磁束は、コイルＬ１、Ｌ１’に発生する磁束の強さを夫々Φ１、Φ２とすると、トータルの磁束Φ３は、Φ３＝Φ１−Φ２となり、同様にコイルＬ２、Ｌ２’に発生する磁束の強さを夫々Φ１’、Φ２’とすると、トータルの磁束Φ３’は、Φ３’＝Φ１’−Φ２’となり、可変抵抗ＶＲを調整することにより、磁束Φ３、Φ３’を制御することができ、偏向感度を変えることができる。
【００３１】
尚、以上の実施形態によれば、主偏向コイルの磁束に対して逆極性の磁束を加算して偏向感度を調整する例を述べたが、図７は更に他の実施形態に係る水平偏向コイルの構成を示す。
【００３２】
図７の実施形態においては、コイルＬ１、Ｌ１’、Ｌ２、Ｌ２’の接続関係は図６の実施形態と同一であるが、偏向感度調整用コイルＬ１’、Ｌ２’の極性が図６とは逆になるよう構成されている。即ち、主偏向コイルＬ１，Ｌ２と偏向感度調整用コイルＬ１’、Ｌ２’は同一方向に巻かれている。
【００３３】
したがって、コイルＬ１、Ｌ１’に発生する磁束の強さを夫々Φ１、Φ２とすると、トータルの磁束Φ３は、Φ３＝Φ１＋Φ２となり、同様にコイルＬ２、Ｌ２’に発生する磁束の強さを夫々Φ１’、Φ２’とすると、トータルの磁束Φ３’は、Φ３’＝Φ１’＋Φ２’となり、可変抵抗ＶＲを調整することにより、磁束Φ３、Φ３’を制御することができ、偏向感度を変えることができる。即ち、主偏向コイルの磁界に対して加算的な補正磁界を生じさせ、同じ極性の磁束を加算して偏向感度を調整するものである。
【００３４】
以上説明したように本発明によれば、偏向ヨークに偏向感度調整機能を持たせることにより、偏向ヨークの汎用性を拡大すると共に偏向回路の設計の負担を軽減することができる。
【００３５】
【発明の効果】
本発明によれば、主偏向コイルによって生じる磁界に対して偏向感度調整用のコイルによる補正磁界を加算又は減算することにり、偏向ヨークの感度を調整することができる。
【図面の簡単な説明】
【図１】ＣＲＴ周辺の構成を示す図である。
【図２】ＣＲＴ周辺の回路構成を示すブロック図である。
【図３】水平出力回路の回路構成例を示すための図である。
【図４】偏向ヨークの偏向感度を説明するための図である。
【図５】本発明の第１本実施形態に係る水平偏向コイルの構成及び偏向電流の電流方向を示す図である。
【図６】他の実施形態に係る偏向コイルの構成を示す図である。
【図７】更に他の実施形態に係る偏向コイルの構成を示す図である。
【符号の説明】
２…偏向ヨーク、
４…ＣＲＴ、
Ｌ１、Ｌ２…主偏向コイル、
Ｌ１’、Ｌ２’…偏向感度調整用コイル、
ＶＲ…可変抵抗。
【図１】
2004207033.tif 000003
【図２】
2004207033.tif 000004
【図３】
2004207033.tif 000005
【図４】
2004207033.tif 000006
【図５】
2004207033.tif 000007
【図６】
2004207033.tif 000008
【図７】
2004207033.tif 000009